(57)【特許請求の範囲】
【請求項１】
映像が表示される第１面と、該第１面に対向する第２面とを備え、該第２面の少なくとも２つの縁領域に分散配置され、それぞれ少なくとも２つの方向から第１画素電源及び第２画素電源を受ける複数の第１電源パッド及び第２電源パッドを備える有機電界発光表示パネルと、
該有機電界発光表示パネルの第２面に配置され、前記第１電源パッド及び第２電源パッドに電気的に接続される複数のパッドを備え、前記有機電界発光表示パネルに前記第１画素電源及び第２画素電源を供給する画素電源供給用ＦＰＣＢと
を含み、
前記第１電源パッドは、前記第２面の第１縁領域及び該第１縁領域に対向する第２縁領域にそれぞれ形成され、
前記第２電源パッドは、前記第２面の第３縁領域及び該第３縁領域に対向する第４縁領域にそれぞれ形成され、
前記画素電源供給用ＦＰＣＢのパッドは、画素電源供給用ＦＰＣＢの縁に突出して形成されることを特徴とする有機電界発光表示装置。
【請求項２】
前記第１電源パッドは、前記第１縁領域及び第２縁領域にそれぞれ複数個ずつ形成されることを特徴とする請求項１に記載の有機電界発光表示装置。
【請求項３】
前記第２電源パッドは、前記第３縁領域及び第４縁領域にそれぞれ複数個ずつ形成されることを特徴とする請求項１に記載の有機電界発光表示装置。
【請求項４】
前記第１電源パッド及び前記第２電源パッドは、前記有機電界発光表示パネルの第２面の互いに異なる縁領域に形成されることを特徴とする請求項１に記載の有機電界発光表示装置。
【請求項５】
前記第１電源パッド及び第２電源パッドのそれぞれは、前記画素電源供給用ＦＰＣＢの互いに対向する両方向から前記第１画素電源及び第２画素電源を受けることを特徴とする請求項１に記載の有機電界発光表示装置。
【請求項６】
前記有機電界発光表示パネルの中央部には、前記第１電源パッド及び第２電源パッドから前記第１画素電源及び第２画素電源を受ける画素部が位置し、
前記第１電源パッドと第２電源パッドとの間には、前記画素部に駆動信号を供給するための複数の信号パッドが形成されることを特徴とする請求項１に記載の有機電界発光表示装置。
【請求項７】
前記信号パッドは、前記画素電源供給用ＦＰＣＢとは別途に備えられる駆動ＦＰＣＢに電気的に接続され、前記駆動ＦＰＣＢから供給される前記駆動信号を前記画素部に伝達することを特徴とする請求項６に記載の有機電界発光表示装置。
【請求項８】
前記駆動ＦＰＣＢは、複数個備えられることを特徴とする請求項７に記載の有機電界発光表示装置。
【請求項９】
前記駆動ＦＰＣＢは、走査駆動部及びデータ駆動部の少なくとも１つを実装し、前記画素部に走査信号及びデータ信号の少なくとも１つを供給することを特徴とする請求項７に記載の有機電界発光表示装置。
【請求項１０】
前記画素電源供給用ＦＰＣＢは、前記画素部と重なるように配置され、前記画素電源供給用ＦＰＣＢのパッドは、前記第１電源パッド及び第２電源パッドと重なるように形成されることを特徴とする請求項６に記載の有機電界発光表示装置。
【請求項１１】
前記画素電源供給用ＦＰＣＢの少なくとも一領域には、少なくとも１つの開口部が形成されることを特徴とする請求項１に記載の有機電界発光表示装置。
【発明の詳細な説明】
【技術分野】
【０００１】
本発明は、有機電界発光表示装置に関し、特に、有機電界発光表示パネルに供給される画素電源の電圧降下を最小化することができる有機電界発光表示装置に関する。
【背景技術】
【０００２】
平板表示装置のうち、有機電界発光表示装置は、電子と正孔との再結合により光を発生する有機電界発光ダイオードを用いて画像を表示する。このような有機電界発光表示装置は、速い応答速度を有すると同時に、低消費電力で駆動されるため、次世代ディスプレイとして注目されている。
【０００３】
一般的に、有機電界発光表示装置は、複数の画素を含む画素部と、画素部に駆動信号を供給する駆動回路と、画素部に画素電源を供給する電源供給回路とを含む。
【０００４】
画素のそれぞれは、走査信号が供給されたとき、走査信号に同期して供給されるデータ信号に対応する輝度の光を放出する。これにより、有機電界発光表示パネルは、所定の映像を表示する。
【０００５】
ただし、有機電界発光表示装置において、画素の発光輝度は、画素電源の電圧にも影響する。すなわち、画素電源は、データ信号とともに、画素の発光輝度を決定する。
【０００６】
したがって、均一な画質の映像を表示するためには、等しい電圧を有する画素電源がそれぞれの画素に供給されなければならない。
【０００７】
しかし、画素電源は、所定の電圧レベルを有する直流電源であり、電源線を経由する間に電圧降下（ＩＲ  Ｄｒｏｐ）が生じてしまう。
【０００８】
特に、有機電界発光表示装置の表示パネルが大型化するほど、電源線が長くなるため、画素電源が供給される電源パッドとの距離に応じて、画素間の輝度ムラが著しくなり得る。
【０００９】
したがって、画素電源の電圧降下を最小化するための方法が求められている。
【特許文献１】韓国特許第０５９１７９８号公報
【特許文献２】韓国特許第０２８７８４８号公報
【特許文献３】韓国特許第０６４４４９３号公報
【発明の開示】
【発明が解決しようとする課題】
【００１０】
そこで、本発明の目的は、有機電界発光表示パネルに供給される画素電源の電圧降下を最小化することができる有機電界発光表示装置を提供することにある。
【課題を解決するための手段】
【００１１】
上記目的を達成するため、本発明は、映像が表示される第１面と、該第１面に対向する第２面とを備え、該第２面の少なくとも２つの縁領域に分散配置され、それぞれ少なくとも２つの方向から第１画素電源及び第２画素電源を受ける複数の第１電源パッド及び第２電源パッドを備える有機電界発光表示パネルと、該有機電界発光表示パネルの第２面に配置され、前記第１電源パッド及び第２電源パッドに電気的に接続される複数のパッドを備え、前記有機電界発光表示パネルに前記第１画素電源及び第２画素電源を供給する画素電源供給用ＦＰＣＢとを含む有機電界発光表示装置を提供する。
【００１２】
ここで、前記第１電源パッドは、前記第２面の第１縁領域及び該第１縁領域に対向する第２縁領域にそれぞれ形成され、前記第２電源パッドは、前記第２面の第３縁領域及び該第３縁領域に対向する第４縁領域にそれぞれ形成され得る。また、前記第１電源パッドは、前記第１縁領域及び第２縁領域にそれぞれ複数個ずつ形成され、前記第２電源パッドは、前記第３縁領域及び第４縁領域にそれぞれ複数個ずつ形成され得る。さらに、前記第１電源パッド及び前記第２電源パッドは、前記有機電界発光表示パネルの第２面の互いに異なる縁領域に形成され得る。なお、前記第１電源パッド及び第２電源パッドのそれぞれは、前記画素電源供給用ＦＰＣＢの互いに対向する両方向から前記第１画素電源及び第２画素電源を受けることができる。
【００１３】
また、前記有機電界発光表示パネルの中央部には、前記第１電源パッド及び第２電源パッドから前記第１画素電源及び第２画素電源を受ける画素部が位置し得る。前記第１電源パッドと第２電源パッドとの間には、前記画素部に駆動信号を供給するための複数の信号パッドが形成され得る。ここで、前記信号パッドは、前記画素電源供給用ＦＰＣＢとは別途に備えられる駆動ＦＰＣＢに電気的に接続され、前記駆動ＦＰＣＢから供給される前記駆動信号を前記画素部に伝達することができる。また、前記駆動ＦＰＣＢは、複数個備えられ得る。さらに、前記駆動ＦＰＣＢは、走査駆動部及びデータ駆動部の少なくとも１つを実装し、前記画素部に走査信号及びデータ信号の少なくとも１つを供給することができる。また、前記画素電源供給用ＦＰＣＢは、前記画素部と重なるように配置され得る。なお、前記画素電源供給用ＦＰＣＢのパッドは、前記第１電源パッド及び第２電源パッドと重なるように形成され得る。
【００１４】
また、前記画素電源供給用ＦＰＣＢの少なくとも一領域には、少なくとも１つの開口部が形成され得る。
【発明を実施するための最良の形態】
【００１５】
以下、添付の図面を参照して、本発明の実施形態をより詳細に説明する。
【００１６】
図１は、本発明を適用するための有機電界発光表示装置の一例を示す構成ブロック図である。
【００１７】
同図に示すように、有機電界発光表示装置１００は、走査駆動部１１０と、データ駆動部１２０と、タイミング制御部１４０と、画素部１５０と、電源供給部１３０とを含む。
【００１８】
走査駆動部１１０は、タイミング制御部１４０から供給される走査駆動制御信号ＳＣＳに対応して、走査信号を生成する。走査駆動部１１０で生成された走査信号は、走査線Ｓ１〜Ｓｎに順次供給される。
【００１９】
データ駆動部１２０は、タイミング制御部１４０から供給されるデータＤａｔａ及びデータ駆動制御信号ＤＣＳに対応して、データ信号を生成する。データ駆動部１２０で生成されたデータ信号は、走査信号に同期するように、データ線Ｄ１〜Ｄｍに供給される。
【００２０】
タイミング制御部１４０は、外部から供給される同期信号に対応して、走査駆動制御信号ＳＣＳ及びデータ駆動制御信号ＤＣＳを生成する。タイミング制御部１４０で生成された走査駆動制御信号ＳＣＳは、走査駆動部１１０に供給され、データ駆動制御信号ＤＣＳは、データ駆動部１２０に供給される。また、タイミング制御部１４０は、外部から供給されるデータＤａｔａをデータ駆動部１２０に伝達する。
【００２１】
画素部１５０は、走査線Ｓ１〜Ｓｎ及びデータ線Ｄ１〜Ｄｍによって画定された領域に形成される複数の画素１６０を含む。このような画素部１５０は、走査駆動部１１０から供給された走査信号と、データ駆動部１２０から供給されたデータ信号とに対応して、映像を表示する。
【００２２】
電源供給部１３０は、外部の電源供給装置（図示せず）から供給される外部電源を用いて、第１画素電源ＥＬＶＤＤ及び第２画素電源ＥＬＶＳＳを生成する。そして、電源供給部１３０は、生成された第１画素電源ＥＬＶＤＤ及び第２画素電源ＥＬＶＳＳを画素部１５０に供給する。
【００２３】
このような有機電界発光表示装置１００において、画素部１５０は、有機電界発光表示パネルに形成される。そして、走査駆動部１１０及び／またはデータ駆動部１２０は、有機電界発光表示パネルに実装されるか、または別のフレキシブルプリント回路基板（Ｆｌｅｘｉｂｌｅ  Ｐｒｉｎｔｅｄ  Ｃｉｒｃｕｉｔ  Ｂｏａｒｄ）（以下、「ＦＰＣＢ」とする）に実装される。このような走査駆動部１１０及び／またはデータ駆動部１２０は、パッド部を介して、有機電界発光表示パネルに電気的に接続され得る。
【００２４】
また、電源供給部１３０及び／またはタイミング制御部１４０は、有機電界発光表示パネルの外部の駆動ボードなどに実装され、ＦＰＣＢを介して、有機電界発光表示パネル及び／または駆動ＦＰＣＢに電気的に接続され得る。
【００２５】
図２は、図１に示す画素の一例を示す回路図である。便宜上、同図では、第ｎ走査線Ｓｎ及び第ｍデータ線Ｄｍに接続された画素を示すものとする。
【００２６】
同図に示すように、画素１６０は、有機電界発光ダイオードＯＬＥＤと、走査線Ｓｎ、データ線Ｄｍ、第１画素電源ＥＬＶＤＤ、及び有機電界発光ダイオードＯＬＥＤに接続される画素回路１６２とを備える。
【００２７】
有機電界発光ダイオードＯＬＥＤのアノード電極は、画素回路１６２に接続され、カソード電極は、第２画素電源ＥＬＶＳＳに接続される。このような有機電界発光ダイオードＯＬＥＤは、画素回路１６２から供給される電流量に対応する輝度で発光する。
【００２８】
画素回路１６２は、第１トランジスタＭ１と、第２トランジスタＭ２と、ストレージキャパシタＣｓｔとを備える。
【００２９】
第１トランジスタＭ１の第１電極は、データ線Ｄｍに接続され、第２電極は、第１ノードＮ１に接続される。そして、第１トランジスタＭ１のゲート電極は、走査線Ｓｎに接続される。このような第１トランジスタＭ１は、走査線Ｓｎに走査信号が供給されたときにターンオンされ、データ線Ｄｍに供給されるデータ信号を第１ノードＮ１に伝達する。
【００３０】
第２トランジスタＭ２の第１電極は、第１画素電源ＥＬＶＤＤに接続され、第２電極は、有機電界発光ダイオードＯＬＥＤのアノード電極に接続される。そして、第２トランジスタＭ２のゲート電極は、第１ノードＮ１に接続される。このような第２トランジスタＭ２は、自体のゲート電極に供給される電圧に対応して、第１画素電源ＥＬＶＤＤから有機電界発光ダイオードＯＬＥＤのアノード電極に流れる電流を制御する。
【００３１】
ストレージキャパシタＣｓｔの一方の端子は、第１ノードＮ１に接続され、他方の端子は、第１画素電源ＥＬＶＤＤ及び第２トランジスタＭ２の第１電極に接続される。このようなストレージキャパシタＣｓｔは、走査線Ｓｎに走査信号が供給されたとき、第１ノードＮ１に供給されるデータ信号に対応する電圧を格納し、格納された電圧を１フレームの間に維持する。
【００３２】
画素１６０の動作過程を詳細に説明すると、まず、走査線Ｓｎに走査信号が供給されると、第１トランジスタＭ１がターンオンされる。第１トランジスタＭ１がターンオンされると、データ線Ｄｍに供給されるデータ信号が、第１トランジスタＭ１を経由して第１ノードＮ１に伝達される。第１ノードＮ１にデータ信号が伝達されると、ストレージキャパシタＣｓｔには、第１画素電源ＥＬＶＤＤの電圧と、データ信号の差に対応する電圧とが充電される。すると、第２トランジスタＭ２は、自体のゲート電極に供給される電圧に対応して、第１画素電源ＥＬＶＤＤから有機電界発光ダイオードＯＬＥＤに流れる電流を制御する。これにより、有機電界発光ダイオードＯＬＥＤが、自体に供給される電流量に対応する輝度で発光して映像を表示する。
【００３３】
前述のように、画素１６０は、第２トランジスタＭ２から供給される電流量に対応する輝度で発光する。ここで、第２トランジスタＭ２のゲート電極が接続される第１ノードＮ１の電圧は、ストレージキャパシタＣｓｔにより、１フレームの間に維持される。
【００３４】
ただし、ストレージキャパシタＣｓｔは、データ信号が供給される間、第１画素電源ＥＬＶＤＤの電圧と、データ信号の差に対応する電圧とを充電し、これを１フレームの間に維持する。したがって、画素１６０の発光輝度は、第１画素電源ＥＬＶＤＤの電圧及びデータ信号に応じて異なる。
【００３５】
ここで、電源線を経由する過程で発生する電圧降下により、画素１６０に供給される第１画素電源ＥＬＶＤＤの電圧が異なることがある。これにより、同じデータ信号を受信した画素１６０は、互いに異なる輝度で発光し、画質が低下し得る。
【００３６】
したがって、第１画素電源ＥＬＶＤＤの電圧降下を最小化することができる方法を工夫しなければならず、本発明では、後述する実施形態により、これに関する解決方法を示すものとする。
【００３７】
図３は、本発明の一実施形態に係る有機電界発光表示パネル及び画素電源供給用ＦＰＣＢの分解斜視図である。そして、図４は、図３に示す有機電界発光表示パネル及び画素電源供給用ＦＰＣＢの結合斜視図である。
【００３８】
ただし、これらの図において、走査駆動部及び／またはデータ駆動部は、有機電界発光表示パネルに実装されずに別のＦＰＣＢに実装されたが、本発明はこれに限定されない。
【００３９】
これらの図に示すように、有機電界発光表示パネル３００は、中央部に位置する画素部３１０と、一面の縁領域３００ａ〜３００ｄに位置し、画素部３１０に画素電源ＥＬＶＤＤ、ＥＬＶＳＳ及び駆動信号をそれぞれ供給するための複数の電源パッドＰＥＬＶＤＤ、ＰＥＬＶＳＳ及び信号パッド３２０を備える。
【００４０】
画素部３１０は、図示していない複数の画素を含む。このような画素部３１０は、信号パッド３２０から供給される駆動信号と、電源パッドＰＥＬＶＤＤ、ＰＥＬＶＳＳから供給される画素電源ＥＬＶＤＤ、ＥＬＶＳＳに対応して、映像を表示する。ただし、画素部３１０は、画素電源供給用ＦＰＣＢ４００に対向する反対面（以下、「第１面」とする）に光を放出して映像を表示する。
【００４１】
電源パッドＰＥＬＶＤＤ、ＰＥＬＶＳＳは、映像が表示される第１面に対向する一面（以下、「第２面」とする）の少なくとも２つの縁領域に分散配置される。
【００４２】
より具体的には、電源パッドＰＥＬＶＤＤ、ＰＥＬＶＳＳは、第１画素電源ＥＬＶＤＤが供給される第１電源パッドＰＥＬＶＤＤ及び第２画素電源ＥＬＶＳＳが供給される第２電源パッドＰＥＬＶＳＳで構成される。
【００４３】
第１電源パッドＰＥＬＶＤＤ及び第２電源パッドＰＥＬＶＳＳのそれぞれは、有機電界発光表示パネル３００の第２面の少なくとも２つの縁領域に分散され、画素電源供給用ＦＰＣＢ４００の互いに対向する両方向から第１画素電源ＥＬＶＤＤ及び第２画素電源ＥＬＶＳＳを受ける。
【００４４】
例えば、第１電源パッドＰＥＬＶＤＤは、有機電界発光表示パネル３００の第２面において、互いに対抗する第１縁領域３００ａ及び第２縁領域３００ｂにそれぞれ複数個ずつ形成され得る。これにより、第１電源パッドＰＥＬＶＤＤは、両方向から第１画素電源ＥＬＶＤＤを受け、これを画素部３１０に伝達することができる。
【００４５】
そして、第２電源パッドＰＥＬＶＳＳは、有機電界発光表示パネル３００の第２面において、互いに対抗する第３縁領域３００ｃ及び第４縁領域３００ｄにそれぞれ複数個ずつ形成され得る。これにより、第２電源パッドＰＥＬＶＳＳは、両方向から第２画素電源ＥＬＶＳＳを受け、これを画素部３１０に伝達することができる。
【００４６】
つまり、第１電源パッドＰＥＬＶＤＤ及び第２電源パッドＰＥＬＶＳＳは、有機電界発光表示パネル３００の第２面の互いに異なる縁領域に形成され得る。
【００４７】
ただし、本発明に係る第１電源パッドＰＥＬＶＤＤ及び第２電源パッドＰＥＬＶＳＳの配置は、前述の実施形態に限定されない。つまり、第１電源パッドＰＥＬＶＤＤ及び第２電源パッドＰＥＬＶＳＳのそれぞれは、有機電界発光表示パネル３００の第２面の少なくとも３つの縁領域に配置される。これにより、第１電源パッドＰＥＬＶＤＤ及び第２電源パッドＰＥＬＶＳＳのそれぞれは、少なくとも３つの方向からそれぞれ第１画素電源ＥＬＶＤＤ及び第２画素電源ＥＬＶＳＳを受けることができる。この場合、第１電源パッドＰＥＬＶＤＤ及び第２電源パッドＰＥＬＶＳＳは、少なくともその一部が、有機電界発光表示パネル３００の第２面の同じ縁領域に形成されることも可能である。
【００４８】
信号パッド３２０は、画素電源供給用ＦＰＣＢ４００とは別途に備えられる駆動ＦＰＣＢ３３０に電気的に接続され、駆動ＦＰＣＢ３３０から供給される駆動信号を画素部３１０に伝達する。このような信号パッド３２０は、第１電源パッドＰＥＬＶＤＤと第２電源パッドＰＥＬＶＳＳとの間に複数個ずつ備えられ得る。
【００４９】
そして、信号パッド３２０に電気的に接続される駆動ＦＰＣＢ３３０も、複数個備えられ得る。
【００５０】
駆動ＦＰＣＢ３３０は、画素部３１０に走査信号を供給するための走査駆動部Ｓ／Ｄ及び／または画素部３１０にデータ信号を供給するためのデータ駆動部Ｄ／Ｄなどを実装することができる。
【００５１】
一方、画素電源供給用ＦＰＣＢ４００は、有機電界発光表示パネル３００の第２面に配置される。このような画素電源供給用ＦＰＣＢ４００は、有機電界発光表示パネル３００の第１電源パッドＰＥＬＶＤＤ及び第２電源パッドＰＥＬＶＳＳに電気的に接続される複数のパッドＰを備える。
【００５２】
例えば、画素電源供給用ＦＰＣＢ４００は、画素部３１０と重なるように板状に形成され、有機電界発光表示パネル３００の第２面に配置され得る。そして、画素電源供給用ＦＰＣＢ４００の縁には、有機電界発光表示パネル３００の第１電源パッドＰＥＬＶＤＤ及び第２電源パッドＰＥＬＶＳＳと重なり、これらに電気的に接続されるパッドＰが備えられ得る。
【００５３】
ここで、画素電源供給用ＦＰＣＢ４００の内部には、第１画素電源ＥＬＶＤＤ及び第２画素電源ＥＬＶＳＳを供給するための単層または多層の線路（図示せず）が備えられる。
【００５４】
このような画素電源供給用ＦＰＣＢ４００は、インタフェースなどを介して、駆動ボードに実装された電源供給部（図示せず）に電気的に接続され、第１画素電源ＥＬＶＤＤ及び第２画素電源ＥＬＶＳＳを受ける。そして、画素電源供給用ＦＰＣＢ４００は、内部線路を介して、第１画素電源ＥＬＶＤＤ及び第２画素電源ＥＬＶＳＳを有機電界発光表示パネル３００の全体に均一に印加する。
【００５５】
前述の本発明によると、有機電界発光表示パネル３００の第１電源パッドＰＥＬＶＤＤ及び第２電源パッドＰＥＬＶＳＳを少なくとも２つの縁領域に分散配置し、第１画素電源ＥＬＶＤＤ及び第２画素電源ＥＬＶＳＳのそれぞれが、少なくとも両方向から有機電界発光表示パネル３００に供給されるようにする。
【００５６】
これにより、有機電界発光表示パネル３００内において、第１画素電源ＥＬＶＤＤ及び第２画素電源ＥＬＶＳＳの電圧降下を最小化することができる。したがって、有機電界発光表示パネル３００が大型化しても、均一な画質の映像を表示することができる。これにより、テレビや電光板などの様々な表示装置に適用するなど、有機電界発光表示装置の活用度を高めることができる。
【００５７】
また、本発明では、有機電界発光表示パネル３００に第１画素電源ＥＬＶＤＤ及び第２画素電源ＥＬＶＳＳを供給するための画素電源供給用ＦＰＣＢ４００を別途に備える。そして、画素電源供給用ＦＰＣＢ４００の形態を、有機電界発光表示パネル３００の画素部３１０と重なるような板状に形成する。
【００５８】
これにより、画素電源供給用ＦＰＣＢ４００の内部線路を介して、第１画素電源ＥＬＶＤＤ及び第２画素電源ＥＬＶＳＳを有機電界発光表示パネル３００の全体に均一に印加することができる。
【００５９】
図５は、本発明の他の実施形態に係る有機電界発光表示パネル及び画素電源供給用ＦＰＣＢの分解斜視図である。同図の説明において、図３と同じ部分には同じ符号を付し、これに関する詳細な説明は省略する。
【００６０】
同図に示すように、画素電源供給用ＦＰＣＢ４００’の少なくとも一領域には、少なくとも１つの開口部４１０が形成される。
【００６１】
例えば、板状の画素電源供給用ＦＰＣＢ４００’の中央部には、複数個の開口部４１０が形成され得る。
【００６２】
このような開口部４１０は、有機電界発光表示パネル３００の駆動時、高電圧を有する第１画素電源ＥＬＶＤＤ及び第２画素電源ＥＬＶＳＳが印加されることにより発生した熱を分散させることができる。
【００６３】
つまり、有機電界発光表示パネル３００の駆動時に発生する熱が、画素電源供給用ＦＰＣＢ４００′の開口部４１０を介して、外部の空気と容易に接触して分散され得る。
【００６４】
これにより、有機電界発光表示パネル３００の駆動時、熱による温度上昇を防止し、駆動不良を防止することができる。
【図面の簡単な説明】
【００６５】
【図１】本発明を適用するための有機電界発光表示装置の一例を示す構成ブロック図である。
【図２】図１に示す画素の一例を示す回路図である。
【図３】本発明の一実施形態に係る有機電界発光表示パネル及び画素電源供給用ＦＰＣＢの分解斜視図である。
【図４】図３に示す有機電界発光表示パネル及び画素電源供給用ＦＰＣＢの結合斜視図である。
【図５】本発明の他の実施形態に係る有機電界発光表示パネル及び画素電源供給用ＦＰＣＢの分解斜視図である。
【符号の説明】
【００６６】
１００  有機電界発光表示装置
１１０  走査駆動部
１２０  データ駆動部
１３０  電源供給部
１４０  タイミング制御部
１５０  画素部
１６０  画素
３００  有機電界発光表示パネル
４００  画素電源供給用ＦＰＣＢ
４００’  画素電源供給用ＦＰＣＢ
【図１】
0004744548.tif 000002
【図２】
0004744548.tif 000003
【図３】
0004744548.tif 000004
【図４】
0004744548.tif 000005
【図５】
0004744548.tif 000006